(57)【要約】  【課題】  雑音等により生じる障害の誤検出または誤診断、特に、メモリの初期化や電源の再投入を必要とする障害に対する誤検出または誤診断をより多く排除し、画像形成の処理効率を向上させることのできる画像形成装置の障害検出装置および方法を提供する。  【解決手段】  複数種類に分類された画像形成装置のステータスのそれぞれで発生する可能性のあるエラー種別をテーブル管理部３５で管理し、エラー診断部３３が画像形成装置のエラーを検出した際に、エラー変底部３４は、ステータスメモリ３２に記憶されている画像形成装置のステータスを取得するとともにテーブル管理部３５に記憶したエラー種別を参照し、取得したステータスで発生する可能性のあるエラー種別と前記検出されたエラーの種別とが一致しない場合に、該検出されたエラーを誤検出されたエラーと判定する。【選択図】        図２
2005178195.tif 000002
【特許請求の範囲】
【請求項１】
複数種類に分類された画像形成装置の状態のそれぞれで発生する可能性のある障害種別を記憶する障害種別記憶手段と、
前記画像形成装置で発生した障害を検出する障害検出手段と、
前記障害検出手段が障害を検出した時点における前記画像形成装置の状態を取得する状態取得手段と、
前記障害種別記憶手段に記憶された障害種別を参照し、前記状態取得手段が取得した状態で発生する可能性のある障害種別と前記障害検出手段が検出した障害の種別とが一致しない場合に、該障害検出手段が検出した障害を誤検出された障害と判定する判定手段と
を具備することを特徴とする画像形成装置の障害検出装置。
【請求項２】
前記障害検出手段は、
前記画像形成装置で発生した障害を検出した際に、該障害の真偽を診断する障害診断手段を具備し、
前記判定手段は、前記状態取得手段が取得した状態で発生する障害種別と前記障害検出手段が検出した障害の種別とが一致した場合に、前記障害診断手段に該障害の真偽を再診断させる
ことを特徴とする請求項１記載の画像形成装置の障害検出装置。
【請求項３】
前記状態取得手段は、
前記画像形成装置の状態が変化したことを検出する状態変化検出手段と、
前記状態変化検出手段が変化を検出した時点の前記画像形成装置の状態を記憶する状態記憶手段と
を具備することを特徴とする請求項１記載の画像形成装置の障害検出装置。
【請求項４】
前記障害検出手段が障害を検出した際に、該検出された障害の種別と該検出された時刻とを記録する障害記録手段をさらに具備することを特徴とする請求項１記載の画像形成装置の障害検出装置。
【請求項５】
前記画像形成装置は、開部を有し、
前記障害種別記憶手段は、前記開部が開かれている状態で発生する可能性のある障害種別と前記開部が閉じられている状態で発生する可能性のある障害種別とを記憶する
ことを特徴とする請求項１記載の画像形成装置の障害検出装置。
【請求項６】
複数種類に分類された画像形成装置の状態のそれぞれで発生する可能性のない障害種別を記憶する障害種別記憶手段と、
前記画像形成装置で発生した障害を検出する障害検出手段と、
前記障害検出手段が障害を検出した時点における前記画像形成装置の状態を取得する状態取得手段と、
前記障害種別記憶手段に記憶された障害種別を参照し、前記状態取得手段が取得した状態で発生する可能性のない障害種別と前記障害検出手段が検出した障害の種別とが一致した場合に、該障害検出手段が検出した障害を誤検出された障害と判定する判定手段と
を具備することを特徴とする画像形成装置の障害検出装置。
【請求項７】
複数種類に分類された画像形成装置の状態のそれぞれで発生する可能性のある障害種別を記憶し、前記画像形成装置で障害が検出された際に、該障害が検出された時点における前記画像形成装置の状態を取得するとともに前記記憶した障害種別を参照し、該取得した状態で発生する可能性のある障害種別と前記検出された障害の種別とが一致しない場合に、該検出された障害を誤検出された障害と判定することを特徴とする画像形成装置の障害検出方法。
【請求項８】
前記検出された障害の種別が該障害が検出された状態で発生する障害種別と一致した場合に、該障害の真偽を再診断することを特徴とする請求項７記載の画像形成装置の障害検出方法。
【請求項９】
前記画像形成装置の状態の取得は、
前記画像形成装置の状態が変化したことを検出し、該検出した時点の前記画像形成装置の状態を記憶することで行うことを特徴とする請求項７記載の画像形成装置の障害検出方法。
【請求項１０】
前記画像形成装置の障害を検出した際に、該検出した障害の種別と該検出した時刻とを記録することを特徴とする請求項７記載の画像形成装置の障害検出方法。
【請求項１１】
前記画像形成装置は、開部を有し、
前記開部が開かれている状態で発生する可能性のある障害種別と前記開部が閉じられている状態で発生する可能性のある障害種別とを記憶することを特徴とする請求項７記載の画像形成装置の障害検出方法。
【請求項１２】
複数種類に分類された画像形成装置の状態のそれぞれで発生する可能性のない障害種別を記憶し、前記画像形成装置で障害が検出された際に、該障害が検出された時点における前記画像形成装置の状態を取得するとともに前記記憶した障害種別を参照し、該取得した状態で発生する可能性のない障害種別と前記検出された障害の種別とが一致した場合に、該検出された障害を誤検出された障害と判定することを特徴とする画像形成装置の障害検出方法。
【発明の詳細な説明】
【技術分野】
【０００１】
本発明は、画像形成装置の障害検出装置および方法に関し、特に、障害が検出された際の処理に特徴を有する画像形成装置の障害検出装置および方法に関する。
【背景技術】
【０００２】
プリンタや複写機、ファックス等の画像形成装置は、一般に、動力源として電力が用いられるとともに、各部の制御に電気信号が用いられている。このため、電気的な雑音や静電気を原因として、障害が発生する場合や、障害が発生していないにもかかわらず障害として診断される誤診断が発生する場合がある。
【０００３】
このため、静電気の影響が特に大きくなるプリンタカバーの開放時に、メモリ等を初期化することによってプリンタの誤動作を防止する技術（例えば、特許文献１参照）や、異常が検出された際に、一定時間経過後も当該異常が引き続き検出されていることを条件に異常状態としての処理を行い、障害の誤検知を排除する技術（例えば、特許文献２参照）が提案されている。
【特許文献１】特開平３−２７７５７８号公報
【特許文献２】特開昭６１−６７０５２号公報
【発明の開示】
【発明が解決しようとする課題】
【０００４】
ところで、最近の画像形成装置は多機能化される傾向にあり、これに伴って、発生する障害の種類も増大している。このため、障害の誤診断の防止は、エラーに対する処理時間の短縮とともに、重要な要素となっている。しかしながら、特許文献２に記載された技術では、周期的な雑音による異常の誤診断を防止することができないこともあり、他の方法により障害の誤診断を行う必要がある。
【０００５】
また、ネットワーク対応のプリンタやファックス等はカバーが開放された情報でもデータを受信することがあり、このような画像形成装置では、特許文献１に記載された技術のようにメモリ等を初期化してしまうと、受信したデータを喪失してしまうこととなる。
【０００６】
そこで、本発明は、雑音等により生じる障害の誤検出または誤診断、特に、メモリの初期化や電源の再投入を必要とする障害に対する誤検出または誤診断をより多く排除し、画像形成の処理効率を向上させることのできる画像形成装置の障害検出装置および方法を提供することを目的とする。
【課題を解決するための手段】
【０００７】
上述した目的を達成するため、請求項１の発明は、複数種類に分類された画像形成装置の状態のそれぞれで発生する可能性のある障害種別を記憶する障害種別記憶手段と、前記画像形成装置で発生した障害を検出する障害検出手段と、前記障害検出手段が障害を検出した時点における前記画像形成装置の状態を取得する状態取得手段と、前記障害種別記憶手段に記憶された障害種別を参照し、前記状態取得手段が取得した状態で発生する可能性のある障害種別と前記障害検出手段が検出した障害の種別とが一致しない場合に、該障害検出手段が検出した障害を誤検出された障害と判定する判定手段とを具備することを特徴とする。
【０００８】
また、請求項２の発明は、請求項１の発明において、前記障害検出手段は、前記画像形成装置で発生した障害を検出した際に、該障害の真偽を診断する障害診断手段を具備し、前記判定手段は、前記状態取得手段が取得した状態で発生する障害種別と前記障害検出手段が検出した障害の種別とが一致した場合に、前記障害診断手段に該障害の真偽を再診断させることを特徴とする。
【０００９】
また、請求項３の発明は、請求項１の発明において、前記状態取得手段は、前記画像形成装置の状態が変化したことを検出する状態変化検出手段と、前記状態変化検出手段が変化を検出した時点の前記画像形成装置の状態を記憶する状態記憶手段とを具備することを特徴とする。
【００１０】
また、請求項４の発明は、請求項１の発明において、前記障害検出手段が障害を検出した際に、該検出された障害の種別と該検出された時刻とを記録する障害記録手段をさらに具備することを特徴とする。
【００１１】
また、請求項５の発明は、請求項１の発明において、前記画像形成装置は、開部を有し、前記障害種別記憶手段は、前記開部が開かれている状態で発生する可能性のある障害種別と前記開部が閉じられている状態で発生する可能性のある障害種別とを記憶することを特徴とする。
【００１２】
また、請求項６の発明は、複数種類に分類された画像形成装置の状態のそれぞれで発生する可能性のない障害種別を記憶する障害種別記憶手段と、前記画像形成装置で発生した障害を検出する障害検出手段と、前記障害検出手段が障害を検出した時点における前記画像形成装置の状態を取得する状態取得手段と、前記障害種別記憶手段に記憶された障害種別を参照し、前記状態取得手段が取得した状態で発生する可能性のない障害種別と前記障害検出手段が検出した障害の種別とが一致した場合に、該障害検出手段が検出した障害を誤検出された障害と判定する判定手段とを具備することを特徴とする。
【００１３】
また、請求項７の発明は、複数種類に分類された画像形成装置の状態のそれぞれで発生する可能性のある障害種別を記憶し、前記画像形成装置で障害が検出された際に、該障害が検出された時点における前記画像形成装置の状態を取得するとともに前記記憶した障害種別を参照し、該取得した状態で発生する可能性のある障害種別と前記検出された障害の種別とが一致しない場合に、該検出された障害を誤検出された障害と判定することを特徴とする。
【００１４】
また、請求項８の発明は、請求項７の発明において、前記検出された障害の種別が該障害が検出された状態で発生する障害種別と一致した場合に、該障害の真偽を再診断することを特徴とする。
【００１５】
また、請求項９の発明は、請求項７の発明において、前記画像形成装置の状態の取得は、前記画像形成装置の状態が変化したことを検出し、該検出した時点の前記画像形成装置の状態を記憶することで行うことを特徴とする。
【００１６】
また、請求項１０の発明は、請求項７の発明において、前記画像形成装置の障害を検出した際に、該検出した障害の種別と該検出した時刻とを記録することを特徴とする。
【００１７】
また、請求項１１の発明は、請求項７の発明において、前記画像形成装置は、開部を有し、前記開部が開かれている状態で発生する可能性のある障害種別と前記開部が閉じられている状態で発生する可能性のある障害種別とを記憶することを特徴とする。
【００１８】
また、請求項１２の発明は、複数種類に分類された画像形成装置の状態のそれぞれで発生する可能性のない障害種別を記憶し、前記画像形成装置で障害が検出された際に、該障害が検出された時点における前記画像形成装置の状態を取得するとともに前記記憶した障害種別を参照し、該取得した状態で発生する可能性のない障害種別と前記検出された障害の種別とが一致した場合に、該検出された障害を誤検出された障害と判定することを特徴とする。
【発明の効果】
【００１９】
本発明によれば、複数種類に分類された画像形成装置の状態のそれぞれで発生する可能性のある障害種別を記憶し、前記画像形成装置で障害が検出された際に、該障害が検出された時点における前記画像形成装置の状態を取得するとともに前記記憶した障害種別を参照し、該取得した状態で発生する可能性のある障害種別と前記検出された障害の種別とが一致しない場合に、該検出された障害を誤検出された障害と判定するように構成したので、雑音等による障害の誤検出を低減させ、画像形成処理の処理効率の向上を図ることができる。
【００２０】
また、受信したデータに基づいて画像を形成する場合には、障害の誤検出によるデータの破損を防止することができる。
【発明を実施するための最良の形態】
【００２１】
以下、本発明に係る画像形成装置の障害検出装置および方法の一実施の形態について、添付図面を参照して詳細に説明する。
【００２２】
本発明を適用した画像形成装置では、その状態（以下、ステータスと称する）を複数種類に分類し、分類したステータス毎に、発生する可能性のある障害（エラー）若しくは発生する可能性のない障害（エラー）のいずれかを記憶し、エラーが発生したものと診断された際に、発生時のステータスを参照して当該診断結果が誤診断であるか否かを判定する。以下に、その実施例の説明を行う。
【実施例１】
【００２３】
図１は、本発明を適用した画像形成装置の構成例を示すブロック図である。同図に示すように、画像形成装置１は、Ｕ／Ｉ（ユーザインタフェイス）部２と制御部３、通信線４、機構制御部５、カバー開スイッチ６、フューザユニット７、ＲＯＳ（Ｒａｓｔｅｒ  Ｏｕｔｐｕｔ  Ｓｃａｎｎｅｒ）ユニット８、モータユニット９を具備して構成される。
【００２４】
Ｕ／Ｉ部２は、ユーザに対して情報の提示を行うとともに、ユーザからの指示入力を受け付ける。制御部３は、画像形成装置全体の制御を行うとともに、画像データに対する処理等を行う。通信線４は、制御部３と機構制御部５の間で情報を授受する際の通信媒体である。機構制御部５は、フューザユニット７、ＲＯＳユニット８、モータユニット９等の制御を行う。カバー開スイッチ６は、カバーが開放状態であることを検知するスイッチである。フューザユニット７は、トナー画像を用紙上に定着する処理を行うユニットである。ＲＯＳユニット８は、レーザ光の照射により静電潜像を形成する処理を行うユニットである。モータユニット９は、用紙の搬送等を行うモータを駆動する処理を行うユニットである。この構成において、本発明によるエラー診断等の処理は制御部３において行う。
【００２５】
なお、図１に示した画像形成装置１は、レーザ光を利用したレーザプリンタであるが、本発明は、他の方式によるプリンタや複写機、ファックス等にも適用することが可能である。
【００２６】
図２は、制御部３の機能的な構成の一部を示すブロック図である。なお、同図に示す各部は、本発明の適用によるエラー診断等の処理を行う部位であり、他の部位については省略している。
【００２７】
同図に示すように、制御部３は、ステータス取得部３１とステータスメモリ３２、エラー診断部３３、エラー判定部３４、テーブル管理部３５、エラー処理部３６、ログ記録部３７を具備して構成される。
【００２８】
ステータス取得部３１は、画像形成装置１のステータスを取得する。ステータスメモリ３２は、ステータス記憶部３１が取得したステータスを記憶する。エラー診断部３３は、画像形成装置１のエラーを検出、診断する。エラー判定部３４は、エラー診断部３３の診断により検出されたエラーの真偽を判定する。テーブル管理部３５は、画像形成装置１の各ステータスで発生する可能性のあるエラー若しくは発生する可能性のないエラーをエラーテーブルとして管理する。エラー処理部３６は、エラー判定部３４で真と判定されたエラーに対して、ユーザへの報知や各部の停止等のエラー対応処理を行う。ログ記録部３７は、エラー判定部３４がエラーの真偽を判定する毎に、その時刻とエラー内容等をログとして記録する。なお、ログ記録部３７は必ずしも必要な構成ではなく、偽のエラーが発生する条件等の解析等に利用することができるように、任意の内容をログとして記録するようにしてもよい。
【００２９】
ここで、テーブル管理部３５が管理するエラーテーブルについて説明する。図３は、エラーテーブルの構成例を示した図である。
【００３０】
同図に示すように、エラーテーブルは、画像形成装置１の各ステータスで発生する可能性のある致命的なエラーが設定されている。同図に示した例では、初期化中、待機中、印刷中、節電中、カバー開、故障の６種のステータスのそれぞれに対して、致命的なエラーであるフューザエラー、ＲＯＳエラー、モータエラー、パリティエラーの４種のエラーのうち、発生する可能性のあるエラーに識別番号を付して設定している。この識別番号は、上２桁でステータスを表し、下２桁でエラー種別を表しているが、必ずしも必要なものではない。なお、エラー種別として致命的なエラーのみを設定しているのは、誤検出によるデータの破損する場合であり、用紙の無駄とデータの再要求を必要とするためで、画像形成効率が甚だ劣化するためである。用紙のジャムエラー等のデータの破損までは至らないが、画像形成工程の変更を必要とし、画像形成効率が劣化するエラーの誤検出防止にも有効である。
【００３１】
このエラーテーブルでは、ステータスが初期化中と印刷中の場合は、全てのエラーが発生する可能性があることを示している。これは、画像形成装置１が初期化中の場合と印刷中の場合には、フューザユニット７（フューザエラーの発生箇所）、ＲＯＳユニット８（ＲＯＳエラーの発生箇所）、モータユニット９（モータエラーの発生箇所）のいずれもが動作し、制御部３と機構制御部５の間で通信線４を介した通信（パリティエラーの発生箇所）が行われているためである。
【００３２】
また、エラーテーブルでは、ステータスが待機中の場合は、フューザエラーとパリティエラーの両者が発生する可能性のあるエラーとして設定され、ステータスが節電中とカバー開の場合に、パリティエラーのみが発生する可能性のあるエラーとして設定されている。これは、画像形成装置１が待機中の場合には、ＲＯＳユニット８とモータユニット９が動作することはなく、節電中とカバー開時には、フューザユニット７、ＲＯＳユニット８、モータユニット９のいずれも動作しないためである。
【００３３】
また、エラーテーブルでステータスが故障の際に、発生する可能性のあるエラーが設定されていないのは、故障のために画像形成装置１が動作することがないためである。
【００３４】
なお、図３に示したエラーテーブルでは、画像形成装置１の各ステータスのそれぞれで発生する可能性のあるエラーを設定しているが、これとは逆に、発生する可能性のないエラーを設定するようにしてもよい。
【００３５】
次に、画像形成装置１の動作の流れを説明する。図４乃至９は、画像形成装置１の動作の流れを示すフローチャートである。
【００３６】
画像形成装置１は、電源が投入若しくはリセット処理がなされると、まず、各メモリ（ステータスメモリ３２を含む、他は不図示）の初期化処理を行い（図４：ステップ１０１）、続いて、フューザユニット７、ＲＯＳユニット８、モータユニット９等の各部の初期化を行う（ステップ１０２）。
【００３７】
ここで、ステップ１０２の処理の詳細について説明する。各部の初期化を行う際には、まず、ステータス取得部３１がその時点のステータスを取得し、取得したステータスをステータスメモリ３２に記憶する（図５：ステップ１２１）。このとき、画像形成装置１のステータスは初期化中であるため、ステータスメモリ３２には、ステータス「初期化中」が記憶される。
【００３８】
続いて、画像形成装置１は、各部の初期化処理を行い（ステップ１２３）、初期化処理の終了を待つ（ステップ１２４でＮＯ）、そして、エラーが発生することなく初期化処理が終了すると（ステップ１２２でＮＯ、ステップ１２３、ステップ１２４でＹＥＳ）、ステップ１０２の初期化処理を終了する。
【００３９】
一方、各部の初期化処理中にエラー診断部３３がエラーの発生を検出すると（ステップ１２２でＹＥＳ）、エラー判定部３４は、ステータスメモリ３２を参照し（ステップ１２５）、エラー判定処理を実行する（ステップ１２６）。このとき、ステータスメモリ３２には、ステータス「初期化中」が記憶されているため、エラー判定部３４は、ステータスメモリ３２を参照した結果、ステータスとして「初期化中」を取得することとなる。
【００４０】
エラー判定処理では、まず、エラー判定部３４が、検出されたエラーの内容と時刻をログとしてログ記録部３７に記録する（図６：ステップ２０１）。そして、テーブル管理部３５が管理するエラーテーブルのステータスが「初期化中」に対応する部分、例えば、図３に示したエラーテーブルでは、上２桁が「０１」のエラーであるフューザエラー、ＲＯＳエラー、モータエラー、パリティエラーを参照する（ステップ２０２）。その結果、エラー診断部３３により検出されたエラーが、エラーテーブルに設定されているエラーと一致しなかった場合には（ステップ２０３でＮＯ）、エラー判定部３４は、当該エラーは誤診断によるものとして無視し、初期化処理に戻る。
【００４１】
また、エラー診断部３３により検出されたエラーが、エラーテーブルに設定されているエラーと一致した場合には（ステップ２０３でＹＥＳ）、エラー判定部３４は、エラー診断部３３に当該エラーに対する再診断を実行させ（ステップ２０４）、その再診断の結果、エラーが検出されなけらば（ステップ２０５でＮＯ）、エラー判定部３４は、当該エラーは誤診断によるものとして無視し、初期化処理に戻る。
【００４２】
一方、再診断の結果、同エラーが検出された場合には（ステップ２０５でＹＥＳ）、エラー判定部３４は、エラー処理部３６にエラーの表示や各部の動作停止等のエラー処理を実行させ（ステップ２０６）、処理を終了する。なお、ステップ２０６のエラー処理は、致命的なエラーに対する処理であるため、当該エラーからの復帰に際しては、リセット処理若しくは電源の切断および再投入が必要となるため、再度、ステップ１０１の処理を実行することとなる。
【００４３】
さて、画像形成装置１は、ステップ１０２の各部の初期化処理を終了すると、ステータスが「待機中」となるため、図示しない時計による節電処理へ移行するまでの時間の計時を開始する（図４：ステップ１０３）。このとき、ステータス取得部３１がその時点のステータスである「待機中」を取得し、取得したステータスをステータスメモリ３２に記憶する（ステップ１０４）。そして、画像形成装置１は、エラーの発生、印刷指令の受け付け、節電移行時間の経過、カバーが開かれる等の事象が生じるまで（ステップ１０５でＮＯ、ステップ１０８でＮＯ、ステップ１０９でＮＯ、ステップ１１０でＮＯ）、待機を継続する。
【００４４】
ところで、画像形成装置１が待機している際に、エラー診断部３３がエラーの発生を検出すると（ステップ１０５でＹＥＳ）、エラー判定部３４は、ステータスメモリ３２を参照し（ステップ１０６）、エラー判定処理を実行する（ステップ１０７）。このとき、ステータスメモリ３２には、ステータス「待機中」が記憶されているため、エラー判定部３４は、ステータスメモリ３２を参照した結果、ステータスとして「待機中」を取得することとなる。
【００４５】
エラー判定処理では、まず、エラー判定部３４が、検出されたエラーの内容と時刻をログとしてログ記録部３７に記録する（図６：ステップ２０１）。そして、テーブル管理部３５が管理するエラーテーブルのステータスが「待機中」に対応する部分、例えば、図３に示したエラーテーブルでは、上２桁が「０２」のエラーであるフューザエラーとパリティエラーを参照する（ステップ２０２）。その結果、エラー診断部３３により検出されたエラーが、エラーテーブルに設定されているエラーと一致しなかった場合には（ステップ２０３でＮＯ）、エラー判定部３４は、当該エラーは誤診断によるものとして無視し、待機を継続する。また、エラー診断部３３により検出されたエラーが、エラーテーブルに設定されているエラーと一致した場合には（ステップ２０３でＹＥＳ）、エラー判定部３４は、エラー診断部３３に当該エラーに対する再診断を実行させ（ステップ２０４）、その再診断の結果、エラーが検出されなけらば（ステップ２０５でＮＯ）、エラー判定部３４は、当該エラーは誤診断によるものとして無視し、待機を継続する。
【００４６】
一方、再診断の結果、同エラーが検出された場合には（ステップ２０５でＹＥＳ）、エラー判定部３４は、エラー処理部３６にエラーの表示や各部の動作停止等のエラー処理を実行させ（ステップ２０６）、処理を終了する。なお、ステップ２０６のエラー処理は、致命的なエラーに対する処理であるため、当該エラーからの復帰に際しては、リセット処理若しくは電源の切断および再投入が必要となるため、再度、ステップ１０１の処理を実行することとなる。
【００４７】
また、画像形成装置１が待機している際に、印刷指令を受け付けると（図４：ステップ１０８でＹＥＳ）、画像形成装置１は、印刷を開始する（ステップ１１１）。
【００４８】
印刷が開始されると、まず、ステータス取得部３１がその時点のステータスである「印刷中」を取得し、取得したステータスをステータスメモリ３２に記憶する（図７：ステップ１４１）。続いて、画像形成装置１が、印刷処理を実行し（ステップ１４３）、印刷処理が終了するのを待つ（ステップ１４４でＮＯ）。そして、エラーが発生することなく印刷処理が終了すると（ステップ１４２でＮＯ、ステップ１４３、ステップ１４４でＹＥＳ）、ステップ１０３に戻り、画像形成装置１は、待機する。
【００４９】
一方、印刷処理中にエラー診断部３３がエラーの発生を検出すると（ステップ１４２でＹＥＳ）、エラー判定部３４は、ステータスメモリ３２を参照し（ステップ１４５）、エラー判定処理を実行する（ステップ１４６）。このとき、ステータスメモリ３２には、ステータス「印刷中」が記憶されているため、エラー判定部３４は、ステータスメモリ３２を参照した結果、ステータスとして「印刷中」を取得することとなる。
【００５０】
エラー判定処理では、まず、エラー判定部３４が、検出されたエラーの内容と時刻をログとしてログ記録部３７に記録する（図６：ステップ２０１）。そして、テーブル管理部３５が管理するエラーテーブルのステータスが「印刷中」に対応する部分、例えば、図３に示したエラーテーブルでは、上２桁が「０３」のエラーであるフューザエラー、ＲＯＳエラー、モータエラー、パリティエラーを参照する（ステップ２０２）。その結果、エラー診断部３３により検出されたエラーが、エラーテーブルに設定されているエラーと一致しなかった場合には（ステップ２０３でＮＯ）、エラー判定部３４は、当該エラーは誤診断によるものとして無視し、印刷処理に戻る。また、エラー診断部３３により検出されたエラーが、エラーテーブルに設定されているエラーと一致した場合には（ステップ２０３でＹＥＳ）、エラー判定部３４は、エラー診断部３３に当該エラーに対する再診断を実行させ（ステップ２０４）、その再診断の結果、エラーが検出されなけらば（ステップ２０５でＮＯ）、エラー判定部３４は、当該エラーは誤診断によるものとして無視し、印刷処理に戻る。
【００５１】
一方、再診断の結果、同エラーが検出された場合には（ステップ２０５でＹＥＳ）、エラー判定部３４は、エラー処理部３６にエラーの表示や各部の動作停止等のエラー処理を実行させ（ステップ２０６）、処理を終了する。なお、ステップ２０６のエラー処理は、致命的なエラーに対する処理であるため、当該エラーからの復帰に際しては、リセット処理若しくは電源の切断および再投入が必要となるため、再度、ステップ１０１の処理を実行することとなる。
【００５２】
また、画像形成装置１が待機している際に、ステップ１０３で計時を開始した時間が節電処理へ移行するまでの時間を経過すると（図４：ステップ１０９でＹＥＳ）、画像形成装置１は、節電状態へ移行する（ステップ１１２）。
【００５３】
画像形成装置１が節電状態への移行を開始すると、まず、ステータス取得部３１がその時点のステータスである「節電中」を取得し、取得したステータスをステータスメモリ３２に記憶する（図８：ステップ１６１）。そして、画像形成装置１は、節電処理を実行する（ステップ１６３）。その後、制御部３により節電処理の解除指令が発せられると（ステップ１６４でＹＥＳ）、ステップ１０３に戻り、画像形成装置１は、待機するが、節電処理の解除指令を待つ間に（ステップ１６４でＮＯ）、エラー診断部３３がエラーの発生を検出すると（ステップ１６２でＹＥＳ）、エラー判定部３４は、ステータスメモリ３２を参照し（ステップ１６５）、エラー判定処理を実行する（ステップ１６６）。このとき、ステータスメモリ３２には、ステータス「節電中」が記憶されているため、エラー判定部３４は、ステータスメモリ３２を参照した結果、ステータスとして「節電中」を取得することとなる。
【００５４】
エラー判定処理では、まず、エラー判定部３４が、検出されたエラーの内容と時刻をログとしてログ記録部３７に記録する（図６：ステップ２０１）。そして、テーブル管理部３５が管理するエラーテーブルのステータスが「節電中」に対応する部分、例えば、図３に示したエラーテーブルでは、上２桁が「０４」のエラーであるパリティエラーを参照する（ステップ２０２）。その結果、エラー診断部３３により検出されたエラーが、エラーテーブルに設定されているエラーと一致しなかった場合には（ステップ２０３でＮＯ）、エラー判定部３４は、当該エラーは誤診断によるものとして無視し、節電状態に戻る。また、エラー診断部３３により検出されたエラーが、エラーテーブルに設定されているエラーと一致した場合には（ステップ２０３でＹＥＳ）、エラー判定部３４は、エラー診断部３３に当該エラーに対する再診断を実行させ（ステップ２０４）、その再診断の結果、エラーが検出されなけらば（ステップ２０５でＮＯ）、エラー判定部３４は、当該エラーは誤診断によるものとして無視し、節電状態に戻る。
【００５５】
一方、再診断の結果、同エラーが検出された場合には（ステップ２０５でＹＥＳ）、エラー判定部３４は、エラー処理部３６にエラーの表示や各部の動作停止等のエラー処理を実行させ（ステップ２０６）、処理を終了する。なお、ステップ２０６のエラー処理は、致命的なエラーに対する処理であるため、当該エラーからの復帰に際しては、リセット処理若しくは電源の切断および再投入が必要となるため、再度、ステップ１０１の処理を実行することとなる。
【００５６】
また、画像形成装置１が待機している際に、カバーが開かれると（図４：ステップ１１０でＹＥＳ）、画像形成装置１は、カバーが閉じられるのを待つ処理を実行する（ステップ１１３）。
【００５７】
画像形成装置１は、カバーが開かれると、ステータス取得部３１がその時点のステータスである「カバー開」を取得し、取得したステータスをステータスメモリ３２に記憶して（図９：ステップ１８１）、カバーが閉じられるのを待つ（ステップ１８３でＮＯ）。
【００５８】
その後、エラーが発生することなくカバーが閉じられると（ステップ１８２でＮＯ、ステップ１８３でＹＥＳ）、ステップ１０２に戻り、画像形成装置１は、各部の初期化を再度実行する。
【００５９】
また、カバーが閉じられる前に、エラー診断部３３がエラーの発生を検出すると（ステップ１８２でＹＥＳ）、エラー判定部３４は、ステータスメモリ３２を参照して（ステップ１８４）、エラー判定処理を実行する（ステップ１８５）。このとき、ステータスメモリ３２には、ステータス「カバー開」が記憶されているため、エラー判定部３４は、ステータスメモリ３２を参照した結果、ステータスとして「カバー開」を取得することとなる。
【００６０】
エラー判定処理では、まず、エラー判定部３４が、検出されたエラーの内容と時刻をログとしてログ記録部３７に記録する（図６：ステップ２０１）。そして、テーブル管理部３５が管理するエラーテーブルのステータスが「カバー開」に対応する部分、例えば、図３に示したエラーテーブルでは、上２桁が「０５」のエラーであるパリティエラーを参照する（ステップ２０２）。その結果、エラー診断部３３により検出されたエラーが、エラーテーブルに設定されているエラーと一致しなかった場合には（ステップ２０３でＮＯ）、エラー判定部３４は、当該エラーは誤診断によるものとして無視し、ステップ１８３に戻り、画像形成装置１は、カバーが閉じられるのを待つ。また、エラー診断部３３により検出されたエラーが、エラーテーブルに設定されているエラーと一致した場合には（ステップ２０３でＹＥＳ）、エラー判定部３４は、エラー診断部３３に当該エラーに対する再診断を実行させ（ステップ２０４）、その再診断の結果、エラーが検出されなけらば（ステップ２０５でＮＯ）、エラー判定部３４は、当該エラーは誤診断によるものとして無視し、ステップ１８３に戻り、画像形成装置１は、カバーが閉じられるのを待つ。
【００６１】
一方、再診断の結果、同エラーが検出された場合には（ステップ２０５でＹＥＳ）、エラー判定部３４は、エラー処理部３６にエラーの表示や各部の動作停止等のエラー処理を実行させ（ステップ２０６）、処理を終了する。なお、ステップ２０６のエラー処理は、致命的なエラーに対する処理であるため、当該エラーからの復帰に際しては、リセット処理若しくは電源の切断および再投入が必要となるため、再度、ステップ１０１の処理を実行することとなる。
【００６２】
なお、ここで説明した画像形成装置１の動作は、テーブル管理部３５が管理するエラーテーブルが図３に示すような各ステータスで発生する可能性のあるエラーを設定した場合の動作であり、エラーテーブルに各ステータスで発生する可能性のないエラーを設定した場合には、エラー判定処理のステップ２０３の処理が逆になる。
【実施例２】
【００６３】
上述の実施例１では、画像形成装置１のステータスを６種とした場合の説明を行ったが、実施例２では、２種のステータスでのエラー判定について説明する。なお、実施例１における画像形成装置も、実施例１における画像形成装置１と同様の構成であるため、その構成についての説明は省略し、ここでは、エラーテーブルと動作についてのみ説明を行う。
【００６４】
図１０は、実施例２におけるエラーテーブルの構成例を示した図である。同図に示すように、エラーテーブルは、画像形成装置１の各ステータスで発生する可能性のある致命的なエラーが設定されている。同図に示した例では、カバー閉とカバー開の２種のステータスのそれぞれに対して、致命的なエラーであるフューザエラー、ＲＯＳエラー、モータエラー、パリティエラーの４種のエラーのうち、発生する可能性のあるエラーに識別番号を付して設定している。この識別番号は、上２桁でステータスを表し、下２桁でエラー種別を表しているが、必ずしも必要なものではない。なお、エラー種別として致命的なエラーのみを設定しているのは、誤検出によるデータの破損する場合であり、用紙の無駄とデータの再要求を必要とするためで、画像形成効率が甚だ劣化するためである。用紙のジャムエラー等のデータの破損までは至らないが、画像形成工程の変更を必要とし、画像形成効率が劣化するエラーの誤検出防止にも有効である。
【００６５】
このエラーテーブルでは、ステータスがカバー閉の場合は、全てのエラーが発生する可能性があることを示している。これは、画像形成装置１が、カバーが閉じられている状態で、初期化や印刷等を行うため、全てのエラーが発生する可能性があるためである。また、ステータスがカバー開の場合に、パリティエラーのみが発生する可能性のあるエラーとして設定されている。これは、カバーが開放されている状態では、フューザユニット７、ＲＯＳユニット８、モータユニット９のいずれも動作しないためである。
【００６６】
次に、実施例２における画像形成装置１の動作の流れを説明する。図１１および図１２は、実施例２における画像形成装置１の動作の流れを示すフローチャートである。
【００６７】
画像形成装置１は、電源が投入若しくはリセット処理がなされると、まず、各メモリ（ステータスメモリ３２を含む、他は不図示）の初期化処理を行い（ステップ３０１）、メモリの初期化が終了すると、ステータス取得部３１がその時点のステータスである「カバー閉」を取得し、取得したステータスをステータスメモリ３２に記憶する（ステップ３０２）。
【００６８】
続いて、画像形成装置１は、フューザユニット７、ＲＯＳユニット８、モータユニット９等の各部の初期化を行う（ステップ３０３でＮＯ、ステップ３０６）。各部の初期化が終了するまでの間に（ステップ３０７でＮＯ）、エラー診断部３３がエラーの発生を検出すると（ステップ３０３でＹＥＳ）、エラー判定部３４は、ステータスメモリ３２を参照し（ステップ３０４）、エラー判定処理を実行する（ステップ３０５）。このとき、ステータスメモリ３２には、ステータス「カバー閉」が記憶されているため、エラー判定部３４は、ステータスメモリ３２を参照した結果、ステータスとして「カバー閉」を取得することとなる。
【００６９】
ステップ３０５のエラー判定処理は、実施例１における処理（図６参照）と同様の処理であり、まず、エラー判定部３４が、検出されたエラーの内容と時刻をログとしてログ記録部３７に記録する（ステップ２０１）。そして、テーブル管理部３５が管理するエラーテーブルのステータスが「カバー閉」に対応する部分、例えば、図１０に示したエラーテーブルでは、上２桁が「０７」のエラーであるフューザエラー、ＲＯＳエラー、モータエラー、パリティエラーを参照する（ステップ２０２）。その結果、エラー診断部３３により検出されたエラーが、エラーテーブルに設定されているエラーと一致しなかった場合には（ステップ２０３でＮＯ）、エラー判定部３４は、当該エラーは誤診断によるものとして無視し、初期化処理に戻る。また、エラー診断部３３により検出されたエラーが、エラーテーブルに設定されているエラーと一致した場合には（ステップ２０３でＹＥＳ）、エラー判定部３４は、エラー診断部３３に当該エラーに対する再診断を実行させ（ステップ２０４）、その再診断の結果、エラーが検出されなけらば（ステップ２０５でＮＯ）、エラー判定部３４は、当該エラーは誤診断によるものとして無視し、初期化処理に戻る。
【００７０】
一方、再診断の結果、同エラーが検出された場合には（ステップ２０５でＹＥＳ）、エラー判定部３４は、エラー処理部３６にエラーの表示や各部の動作停止等のエラー処理を実行させ（ステップ２０６）、処理を終了する。なお、ステップ２０６のエラー処理は、致命的なエラーに対する処理であるため、当該エラーからの復帰に際しては、リセット処理若しくは電源の切断および再投入が必要となるため、再度、ステップ３０１からの処理を実行することとなる。
【００７１】
さて、画像形成装置１は、各部の初期化処理を終了すると（ステップ３０７でＹＥＳ）、図示しない時計による節電処理へ移行するまでの時間の計時を開始する（ステップ３０８）。そして、画像形成装置１は、エラーの発生、印刷指令の受け付け、節電移行時間の経過、カバーが開かれる等の事象が生じるまで待機する（ステップ３０９でＮＯ、ステップ３１２でＮＯ、ステップ３１３でＮＯ、ステップ３１４でＮＯ）。
【００７２】
画像形成装置１が待機している際に、エラー診断部３３がエラーの発生を検出すると（ステップ３０９でＹＥＳ）、エラー判定部３４は、ステータスメモリ３２を参照し（ステップ３１０）、エラー判定処理を実行する（ステップ３１１）。このとき、ステータスメモリ３２には、ステータス「カバー閉」が記憶されているため、エラー判定部３４は、ステータスメモリ３２を参照した結果、ステータスとして「カバー閉」を取得することとなる。
【００７３】
ステップ３１１のエラー判定処理は、実施例１における処理（図６参照）と同様の処理であり、まず、エラー判定部３４が、検出されたエラーの内容と時刻をログとしてログ記録部３７に記録する（ステップ２０１）。そして、テーブル管理部３５が管理するエラーテーブルのステータスが「カバー閉」に対応する部分、例えば、図１０に示したエラーテーブルでは、上２桁が「０７」のエラーであるフューザエラー、ＲＯＳエラー、モータエラー、パリティエラーを参照する（ステップ２０２）。その結果、エラー診断部３３により検出されたエラーが、エラーテーブルに設定されているエラーと一致しなかった場合には（ステップ２０３でＮＯ）、エラー判定部３４は、当該エラーは誤診断によるものとして無視し、待機状態を継続する。また、エラー診断部３３により検出されたエラーが、エラーテーブルに設定されているエラーと一致した場合には（ステップ２０３でＹＥＳ）、エラー判定部３４は、エラー診断部３３に当該エラーに対する再診断を実行させ（ステップ２０４）、その再診断の結果、エラーが検出されなけらば（ステップ２０５でＮＯ）、エラー判定部３４は、当該エラーは誤診断によるものとして無視し、待機状態を継続する。
【００７４】
一方、再診断の結果、同エラーが検出された場合には（ステップ２０５でＹＥＳ）、エラー判定部３４は、エラー処理部３６にエラーの表示や各部の動作停止等のエラー処理を実行させ（ステップ２０６）、処理を終了する。なお、ステップ２０６のエラー処理は、致命的なエラーに対する処理であるため、当該エラーからの復帰に際しては、リセット処理若しくは電源の切断および再投入が必要となるため、再度、ステップ１０１の処理を実行することとなる。
【００７５】
また、画像形成装置１が待機している際に、印刷指令を受け付けると（ステップ３１２でＹＥＳ）、画像形成装置１は、印刷処理を実行する（ステップ３１５でＮＯ、ステップ３１８）。
【００７６】
印刷処理が終了するまでの間に（ステップ３１９でＮＯ）、エラー診断部３３がエラーの発生を検出すると（ステップ３１５でＹＥＳ）、エラー判定部３４は、ステータスメモリ３２を参照し（ステップ３１６）、エラー判定処理を実行する（ステップ３１７）。このとき、ステータスメモリ３２には、ステータス「カバー閉」が記憶されているため、エラー判定部３４は、ステータスメモリ３２を参照した結果、ステータスとして「カバー閉」を取得することとなる。
【００７７】
ステップ３１７のエラー判定処理は、実施例１における処理（図６参照）と同様の処理であり、まず、エラー判定部３４が、検出されたエラーの内容と時刻をログとしてログ記録部３７に記録する（ステップ２０１）。そして、テーブル管理部３５が管理するエラーテーブルのステータスが「カバー閉」に対応する部分、例えば、図１０に示したエラーテーブルでは、上２桁が「０７」のエラーであるフューザエラー、ＲＯＳエラー、モータエラー、パリティエラーを参照する（ステップ２０２）。その結果、エラー診断部３３により検出されたエラーが、エラーテーブルに設定されているエラーと一致しなかった場合には（ステップ２０３でＮＯ）、エラー判定部３４は、当該エラーは誤診断によるものとして無視し、印刷処理を続行する。また、エラー診断部３３により検出されたエラーが、エラーテーブルに設定されているエラーと一致した場合には（ステップ２０３でＹＥＳ）、エラー判定部３４は、エラー診断部３３に当該エラーに対する再診断を実行させ（ステップ２０４）、その再診断の結果、エラーが検出されなけらば（ステップ２０５でＮＯ）、エラー判定部３４は、当該エラーは誤診断によるものとして無視し、印刷処理を続行する。
【００７８】
一方、再診断の結果、同エラーが検出された場合には（ステップ２０５でＹＥＳ）、エラー判定部３４は、エラー処理部３６にエラーの表示や各部の動作停止等のエラー処理を実行させ（ステップ２０６）、処理を終了する。なお、ステップ２０６のエラー処理は、致命的なエラーに対する処理であるため、当該エラーからの復帰に際しては、リセット処理若しくは電源の切断および再投入が必要となるため、再度、ステップ３０１からの処理を実行することとなる。
【００７９】
また、画像形成装置１が待機している際に、ステップ３０８で計時を開始した時間が節電処理へ移行するまでの時間を経過すると（ステップ３１３でＹＥＳ）、画像形成装置１は、節電処理を実行する（ステップ３２０でＹＥＳ、ステップ３２３）。
【００８０】
画像形成装置１が節電処理の解除指令を待つ間に（ステップ３２４でＮＯ）、エラー診断部３３がエラーの発生を検出すると（ステップ３０３でＹＥＳ）、エラー判定部３４は、ステータスメモリ３２を参照し（ステップ３０４）、エラー判定処理を実行する（ステップ３０５）。このとき、ステータスメモリ３２には、ステータス「カバー閉」が記憶されているため、エラー判定部３４は、ステータスメモリ３２を参照した結果、ステータスとして「カバー閉」を取得することとなる。
【００８１】
ステップ３０５のエラー判定処理は、実施例１における処理（図６参照）と同様の処理であり、まず、エラー判定部３４が、検出されたエラーの内容と時刻をログとしてログ記録部３７に記録する（ステップ２０１）。そして、テーブル管理部３５が管理するエラーテーブルのステータスが「カバー閉」に対応する部分、例えば、図１０に示したエラーテーブルでは、上２桁が「０７」のエラーであるフューザエラー、ＲＯＳエラー、モータエラー、パリティエラーを参照する（ステップ２０２）。その結果、エラー診断部３３により検出されたエラーが、エラーテーブルに設定されているエラーと一致しなかった場合には（ステップ２０３でＮＯ）、エラー判定部３４は、当該エラーは誤診断によるものとして無視し、節電状態を継続する。また、エラー診断部３３により検出されたエラーが、エラーテーブルに設定されているエラーと一致した場合には（ステップ２０３でＹＥＳ）、エラー判定部３４は、エラー診断部３３に当該エラーに対する再診断を実行させ（ステップ２０４）、その再診断の結果、エラーが検出されなけらば（ステップ２０５でＮＯ）、エラー判定部３４は、当該エラーは誤診断によるものとして無視し、節電状態を継続する。
【００８２】
一方、再診断の結果、同エラーが検出された場合には（ステップ２０５でＹＥＳ）、エラー判定部３４は、エラー処理部３６にエラーの表示や各部の動作停止等のエラー処理を実行させ（ステップ２０６）、処理を終了する。なお、ステップ２０６のエラー処理は、致命的なエラーに対する処理であるため、当該エラーからの復帰に際しては、リセット処理若しくは電源の切断および再投入が必要となるため、再度、ステップ３０１からの処理を実行することとなる。
【００８３】
また、画像形成装置１が待機している際に、カバーが開かれると（ステップ３１４でＹＥＳ）、画像形成装置１は、カバーが閉じられるのを待つ処理を実行する（ステップ１１３）。
【００８４】
ステップ１１３の処理は、実施例１における処理（図９参照）と同様の処理であり、ステータス取得部３１がその時点のステータスである「カバー開」を取得し、取得したステータスをステータスメモリ３２に記憶して（ステップ１８１）、カバーが閉じられるのを待つ（ステップ１８３でＮＯ）。
【００８５】
その後、エラーが発生することなくカバーが閉じられると（ステップ１８２でＮＯ、ステップ１８３でＹＥＳ）、ステップ３０２に戻り、画像形成装置１は、各部の初期化を再度実行する。
【００８６】
また、カバーが閉じられる前に、エラー診断部３３がエラーの発生を検出すると（ステップ１８２でＹＥＳ）、エラー判定部３４は、ステータスメモリ３２を参照して（ステップ１８４）、エラー判定処理を実行する（ステップ１８５）。このとき、ステータスメモリ３２には、ステータス「カバー開」が記憶されているため、エラー判定部３４は、ステータスメモリ３２を参照した結果、ステータスとして「カバー開」を取得することとなる。
【００８７】
エラー判定処理では、まず、エラー判定部３４が、検出されたエラーの内容と時刻をログとしてログ記録部３７に記録する（ステップ２０１）。そして、テーブル管理部３５が管理するエラーテーブルのステータスが「カバー開」に対応する部分、例えば、図１０に示したエラーテーブルでは、上２桁が「０８」のエラーであるパリティエラーを参照する（ステップ２０２）。その結果、エラー診断部３３により検出されたエラーが、エラーテーブルに設定されているエラーと一致しなかった場合には（ステップ２０３でＮＯ）、エラー判定部３４は、当該エラーは誤診断によるものとして無視し、ステップ１８３に戻り、画像形成装置１は、カバーが閉じられるのを待つ。また、エラー診断部３３により検出されたエラーが、エラーテーブルに設定されているエラーと一致した場合には（ステップ２０３でＹＥＳ）、エラー判定部３４は、エラー診断部３３に当該エラーに対する再診断を実行させ（ステップ２０４）、その再診断の結果、エラーが検出されなけらば（ステップ２０５でＮＯ）、エラー判定部３４は、当該エラーは誤診断によるものとして無視し、ステップ１８３に戻り、画像形成装置１は、カバーが閉じられるのを待つ。
【００８８】
一方、再診断の結果、同エラーが検出された場合には（ステップ２０５でＹＥＳ）、エラー判定部３４は、エラー処理部３６にエラーの表示や各部の動作停止等のエラー処理を実行させ（ステップ２０６）、処理を終了する。なお、ステップ２０６のエラー処理は、致命的なエラーに対する処理であるため、当該エラーからの復帰に際しては、リセット処理若しくは電源の切断および再投入が必要となるため、再度、ステップ１０１の処理を実行することとなる。
【００８９】
この実施例２で説明したように、ステータスを「カバー閉」と「カバー開」の２種としてエラー判定を行う場合には、ステータス取得部３１は、カバー開スイッチ６のオン／オフを判定するだけの構成でよく、全体として簡易な構成でエラー判定を行うことが可能となる。特に「カバー開」の状態は、オペレータが画像形成装置の内部にまで触れる可能があり、センサー・基板・ワイヤーハーネスまたはそれらが取付けられた板金に静電気が印加される。「カバー閉」では生じなかった誤検出を発生する場合がある。
【図面の簡単な説明】
【００９０】
【図１】本発明を適用した画像形成装置の構成例を示すブロック図である。
【図２】図２は、制御部３の機能的な構成の一部を示すブロック図である。
【図３】エラーテーブルの構成例を示した図である。
【図４】画像形成装置１の動作の流れを示すフローチャート（１）である。
【図５】画像形成装置１の動作の流れを示すフローチャート（２）である。
【図６】画像形成装置１の動作の流れを示すフローチャート（３）である。
【図７】画像形成装置１の動作の流れを示すフローチャート（４）である。
【図８】画像形成装置１の動作の流れを示すフローチャート（５）である。
【図９】画像形成装置１の動作の流れを示すフローチャート（６）である。
【図１０】実施例２におけるエラーテーブルの構成例を示した図である。
【図１１】実施例２における画像形成装置１の動作の流れを示すフローチャート（１）である。
【図１２】実施例２における画像形成装置１の動作の流れを示すフローチャート（２）である。
【符号の説明】
【００９１】
１    画像形成装置
２    Ｕ／Ｉ部
３    制御部
４    通信線
５    機構制御部
６    カバー開スイッチ
７    フューザユニット
８    ＲＯＳユニット
９    モータユニット
３１    ステータス取得部
３２    ステータスメモリ
３３    エラー診断部
３４    エラー判定部
３５    テーブル管理部
３６    エラー処理部
３７    ログ記録部
【図１】
2005178195.tif 000003
【図２】
2005178195.tif 000004
【図３】
2005178195.tif 000005
【図４】
2005178195.tif 000006
【図５】
2005178195.tif 000007
【図６】
2005178195.tif 000008
【図７】
2005178195.tif 000009
【図８】
2005178195.tif 000010
【図９】
2005178195.tif 000011
【図１０】
2005178195.tif 000012
【図１１】
2005178195.tif 000013
【図１２】
2005178195.tif 000014